【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】
リード・ヘッドおよびライト・ヘッドを有する複合ヘッドが取り付けられるアクチュエータをクラッシュ・ストップに接触させた状態で位置決めすると共に、当該ライト・ヘッドによってディスク状記憶媒体にサーボ・パターン、Ｓｙｎｃ  Ｍａｒｋを含むトリガー・パターン、およびプロパゲーション・パターンを書き込む第一のステップと、
前記ライト・ヘッドによって前記ディスク状記憶媒体に書き込まれた前記サーボ・パターンが前記リード・ヘッドで検出できる場合に、検出された当該サーボ・パターンに基づくサーボ制御によって前記ライト・ヘッドを位置決めすると共に、当該ライト・ヘッドによって当該ディスク状記憶媒体にさらにサーボ・パターンおよびプロパゲーション・パターンを書き込む第二のステップと、
前記リード・ヘッドにより、前記ディスク状記憶媒体の半径方向で隣り合う二つのトラックに書き込まれたトリガー・パターンの時間差を検出することにより、このトリガー・パターンを前記リード・ヘッドで検出してから前記ライト・ヘッドにより次のトリガー・パターンを書き込むまでの書き込み時間間隔を決定する第三のステップと
を含むサーボ情報の書き込み方法。
【請求項２】
前記第一のステップでは、前記アクチュエータを前記クラッシュ・ストップに接触させた状態で当該アクチュエータの駆動モータに流す電流量を変化させる請求項１に記載のサーボ情報の書き込み方法。
【請求項３】
前記第二のステップでは、前記ディスク状記憶媒体に書き込まれた前記プロパゲーション・パターンを前記リード・ヘッドで検出し、検出された当該プロパゲーション・パターンに基づいて前記ライト・ヘッドの位置を補正する請求項１または２に記載のサーボ情報の書き込み方法。
【請求項４】
前記ディスク状記憶媒体にトリガー・パターンを書き込むための送りピッチを決定するステップをさらに含む請求項１乃至３の何れか１項に記載のサーボ情報の書き込み方法。
【請求項５】
前記書き込み時間間隔を決定するステップでは、前記リード・ヘッドと前記ライト・ヘッドとの間の距離であるリード・ライト・オフセットを利用する請求項１乃至４の何れか１項に記載のサーボ情報の書き込み方法。
【請求項６】
リード・ヘッドおよびライト・ヘッドを有する複合ヘッドを用いて、ディスク状記憶媒体にサーボ情報を書き込むサーボ情報の書き込み方法であって、
前記ライト・ヘッドによって前記ディスク状記憶媒体にＳｙｎｃ  Ｍａｒｋを含むトリガー・パターン、サーボ・パターン、プロパゲーション・パターンを書き込むステップと、
前記ディスク状記憶媒体に書き込まれた前記サーボ・パターンを前記リード・ヘッドで検出し、検出された当該サーボ・パターンに基づいて次の書き込み位置に前記ライト・ヘッドを位置決めするステップと、
前記書き込み時間間隔を決定するステップでは、前記ディスク状記憶媒体の半径方向で隣り合う二つのトラックに書き込まれたトリガー・パターンの時間差を検出することにより、前記トリガー・パターンを前記リード・ヘッドで検出してから前記ライト・ヘッドにより次のトリガー・パターンを書き込むまでの書き込み時間間隔を決定するステップと
を含むサーボ情報の書き込み方法。
【請求項７】
前記ディスク状記憶媒体に書き込まれた前記プロパゲーション・パターンを前記リード・ヘッドで検出し、検出された当該プロパゲーション・パターンに基づいて前記ライト・ヘッドの位置を補正するステップをさらに含む請求項６に記載のサーボ情報の書き込み方法。
【請求項８】
前記トリガー・パターンおよび前記サーボ・パターンは前記ディスク状記憶媒体の位置情報記憶領域に書き込まれ、前記プロパゲーション・パターンは当該ディスク状記憶媒体のデータ記憶領域に書き込まれる請求項６または７に記載のサーボ情報の書き込み方法。
【請求項９】
リード・ヘッドおよびライト・ヘッドを有する複合ヘッドを用いて、ディスク状記憶媒体にサーボ情報を書き込むサーボ情報の書き込み方法であって、
前記ライト・ヘッドによって前記ディスク状記憶媒体にトリガー・パターンを書き込むステップと、
前記リード・ヘッドにより、前記ディスク状記憶媒体の半径方向で隣り合う二つのトラックに書き込まれたトリガー・パターンの時間差を検出することにより、前記ディスク状記憶媒体に書き込まれた前記トリガー・パターンを前記リード・ヘッドで検出してから当該ディスク状記憶媒体に前記ライト・ヘッドにより次のトリガー・パターンを書き込むまでの書き込み時間間隔を決定するステップと
を含むサーボ情報の書き込み方法。
【請求項１０】
前記書き込み時間間隔を決定するステップでは、前記リード・ヘッドと前記ライト・ヘッドとの間のリード・ライト・オフセットを利用する請求項９に記載のサーボ情報の書き込み方法。
【請求項１１】
ディスク状記憶媒体上の所定の位置に、リード・ヘッドおよびライト・ヘッドを有する複合ヘッドを位置決めするサーボ制御方法であって、
前記ディスク状記憶媒体に書き込まれたサーボ・パターンを前記リード・ヘッドにより検出する第一のステップと、
検出された前記サーボ・パターンのポジション・エラー・シグナルを前記ディスク状記憶媒体の物理的位置に変換する第二のステップと、
前記リード・ヘッドにより、前記ディスク状記憶媒体の半径方向で隣り合う二つのトラックに書き込まれたトリガー・パターンの時間差を検出することにより、このトリガー・パターンを前記リード・ヘッドで検出してから前記ライト・ヘッドにより次のトリガー・パターンを書き込むまでの書き込み時間間隔を決定する第三のステップと
を含むサーボ制御方法。
【請求項１２】
前記第二のステップでは、前記リード・ヘッドと前記ライト・ヘッドとの間の距離であるリード・ライト・オフセットを利用する請求項１１に記載のサーボ制御方法。
【請求項１３】
前記第二のステップでは、
前記ライト・ヘッドにより前記ディスク状記憶媒体の前記サーボ・パターンとは異なる位置にメジャーメント・パターンを書き込み、
前記ディスク状記憶媒体に書き込まれた前記メジャーメント・パターンのプロファイルを前記リード・ヘッドで検出し、
検出された当該メジャーメント・パターンに基づいて前記ポジション・エラー・シグナルと前記リード・ヘッドの位置との関係を線形化する請求項１１または１２に記載のサーボ制御方法。
【請求項１４】
リード・ヘッドおよびライト・ヘッドを有する複合ヘッドが取り付けられるアクチュエータをクラッシュ・ストップに接触させた状態で位置決めすると共に、当該ライト・ヘッドによってディスク状記憶媒体にサーボ・パターン、Ｓｙｎｃ  Ｍａｒｋを含むトリガー・パターン、およびプロパゲーション・パターンを書き込む第一のサーボ書き込み手段と、
前記ライト・ヘッドによって前記ディスク状記憶媒体に書き込まれた前記サーボ・パターンが前記リード・ヘッドで検出できる場合に、検出された当該サーボ・パターンに基づくサーボ制御によって前記ライト・ヘッドを位置決めすると共に、当該ライト・ヘッドによって当該ディスク状記憶媒体にさらにサーボ・パターンおよびプロパゲーション・パターンを書き込む第二のサーボ書き込み手段と、
前記リード・ヘッドにより、前記ディスク状記憶媒体の半径方向で隣り合う二つのトラックに書き込まれたトリガー・パターンの時間差を検出することにより、このトリガー・パターンを前記リード・ヘッドで検出してから前記ライト・ヘッドにより次のトリガー・パターンを書き込むまでの書き込み時間間隔を決定する第三のサーボ書き込み手段と
を含むデータ記憶装置。
【請求項１５】
前記第二のサーボ書き込み手段でサーボ・パターンおよびプロパゲーション・パターンを書き込んでいる間、前記ディスク状記憶媒体に書き込まれた前記プロパゲーション・パターンを前記リード・ヘッドで検出し、検出された当該プロパゲーション・パターンに基づいて前記ライト・ヘッドの位置を補正する補正手段をさらに備える請求項１４に記載のデータ記憶装置。
【請求項１６】
ライト・ヘッドによってディスク状記憶媒体にトリガー・パターンを書き込む書き込み手段と、
前記リード・ヘッドにより、前記ディスク状記憶媒体の半径方向で隣り合う二つのトラックに書き込まれたトリガー・パターンの時間差を検出することにより、前記ディスク状記憶媒体に書き込まれた前記トリガー・パターンをリード・ヘッドで検出してから当該ディスク状記憶媒体に前記ライト・ヘッドにより次のトリガー・パターンを書き込むまでの書き込み時間間隔を決定する決定手段と
を含むデータ記憶装置。
【請求項１７】
前記決定手段は、前記リード・ヘッドと前記ライト・ヘッドとの間のリード・ライト・オフセットを利用する請求項１６に記載のデータ記憶装置。
【請求項１８】
回転可能に配設され、その表面にサーボ・パターンが記憶されたディスク状記憶媒体と、
前記サーボ・パターンを読み取り可能に設けられるリード・ヘッドと、
前記リード・ヘッドに対して所定距離だけ離間して配置されると共に、前記ディスク状記憶媒体にデータを書き込むライト・ヘッドと、
前記リード・ヘッドによって読み取られた前記サーボ・パターンのポジション・エラー・シグナルを前記ディスク状記憶媒体の物理的位置に変換する変換部と、前記変換部による変換結果に基づき、前記リード・ヘッドの位置を制御する制御部とを含み、
前記リード・ヘッドにより、前記ディスク状記憶媒体の半径方向で隣り合う二つのトラックに書き込まれたトリガー・パターンの時間差を検出することにより、このトリガー・パターンを前記リード・ヘッドで検出してから前記ライト・ヘッドにより次のトリガー・パターンを書き込むまでの書き込み時間間隔を決定する
データ記憶装置。
【請求項１９】
前記リード・ヘッドは磁気抵抗素子からなり、前記ライト・ヘッドはトランスデューサー誘導素子からなる請求項１８に記載のデータ記憶装置。
【請求項２０】
コンピュータに、
リード・ヘッドおよびライト・ヘッドを有する複合ヘッドが取り付けられるアクチュエータをクラッシュ・ストップに接触させた状態で位置決めすると共に、当該ライト・ヘッドによってディスク状記憶媒体にサーボ・パターン、トリガー・パターン、およびプロパゲーション・パターンを書き込む第一の機能と、
前記ライト・ヘッドによって前記ディスク状記憶媒体に書き込まれた前記サーボ・パターンが前記リード・ヘッドで検出できる場合に、検出された当該サーボ・パターンに基づくサーボ制御によって前記ライト・ヘッドを位置決めすると共に、当該ライト・ヘッドによって当該ディスク状記憶媒体にさらにサーボ・パターンおよびプロパゲーション・パターンを書き込む第二の機能と、
前記リード・ヘッドにより、前記ディスク状記憶媒体の半径方向で隣り合う二つのトラックに書き込まれたトリガー・パターンの時間差を検出することにより、このトリガー・パターンを前記リード・ヘッドで検出してから前記ライト・ヘッドにより次のトリガー・パターンを書き込むまでの書き込み時間間隔を決定する第三の機能と
を実現させるプログラム。
【請求項２１】
前記ディスク状記憶媒体に前記トリガー・パターンを書き込むための送りピッチを決定する機能をさらに実現させる請求項２０に記載のプログラム。
【請求項２２】
コンピュータに、
ライト・ヘッドによってディスク状記憶媒体にトリガー・パターン、サーボ・パターン、プロパゲーション・パターンを書き込む機能と、
前記ディスク状記憶媒体に書き込まれた前記サーボ・パターンを前記リード・ヘッドで検出し、検出された当該サーボ・パターンに基づいて次の書き込み位置に前記ライト・ヘッドを位置決めする機能と、
前記リード・ヘッドにより、前記ディスク状記憶媒体の半径方向で隣り合う二つのトラックに書き込まれたトリガー・パターンの時間差を検出することにより、このトリガー・パターンを前記リード・ヘッドで検出してから前記ライト・ヘッドにより次のトリガー・パターンを書き込むまでの書き込み時間間隔を決定する第三の機能と
を実現させるプログラム。
【請求項２３】
前記ディスク状記憶媒体に書き込まれた前記プロパゲーション・パターンを前記リード・ヘッドで検出し、
前記ライト・ヘッドの位置を補正する機能をさらに含む請求項２２に記載のプログラム。
【請求項２４】
コンピュータに、
ライト・ヘッドによってディスク状記憶媒体にトリガー・パターンを書き込む機能と、検出された当該プロパゲーション・パターンに基づいて前記ディスク状記憶媒体に書き込まれた前記トリガー・パターンをリード・ヘッドで検出してから当該ディスク状記憶媒体に前記ライト・ヘッドにより次のトリガー・パターンを書き込むまでの書き込み時間間隔を前記リード・ヘッドが前記ディスク状記憶媒体の半径方向で隣り合う二つのトラックに書き込まれたトリガー・パターンの時間差を検出することにより決定する機能と
を実現させるプログラム。